【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
所定の条件を満たしたときに、通常遊技時よりメダル獲得枚数期待値の大きい特定遊技を実行する特定遊技実行手段を備え、
前記特定遊技実行手段は、
特定遊技を開始するときに、特定遊技の遊技回数の初期値を設定する特定遊技回数初期値設定手段と、
特定遊技中における遊技の消化に伴って、残り遊技回数を更新する遊技回数更新手段と、
特定遊技中に、特定遊技の残り遊技回数を加算するための条件を満たすか否かを判別する変更条件判別手段と、
特定遊技の残り遊技回数に加算する遊技回数を抽選する加算遊技回数抽選手段と、
前記変更条件判別手段により特定遊技の残り遊技回数を加算するための条件を満たすと判別されたときに、それまでの残り遊技回数に前記加算遊技回数抽選手段で決定した遊技回数を加算して新たな残り遊技回数を算出する遊技回数算出手段と、
前記遊技回数算出手段で算出された残り遊技回数を新たな残り遊技回数に設定する特定遊技回数設定変更手段と、
前記変更条件判別手段により特定遊技の残り遊技回数を加算するための条件を満たすと判別されたときに、特定遊技の残り遊技回数の加算に関する演出を出力するようにする遊技回数変更演出制御手段と
を備え、
前記遊技回数変更演出制御手段により出力される演出として、特定遊技の残り遊技回数に加算する遊技回数に対応する演出パターンが設けられており、
前記遊技回数変更演出制御手段は、
前記変更条件判別手段により特定遊技の残り遊技回数を加算するための条件を満たすと判別されたときは、加算する遊技回数に対応する前記演出パターンを選択し、選択した前記演出パターンによって加算する遊技回数を画像表示するようにし、
前記変更条件判別手段により特定遊技の残り遊技回数を加算するための条件を満たしていないと判別されたときであっても、所定の確率で、特定遊技の残り遊技回数の加算に関する演出を出力し、その後、特定遊技の残り遊技回数を加算する演出を行わないようにする
ことを特徴とするスロットマシン。
【請求項２】
請求項１に記載のスロットマシンにおいて、
前記遊技回数変更演出制御手段は、特定遊技の残り遊技回数の加算に関する演出を出力する場合において、前記変更条件判別手段により特定遊技の残り遊技回数を加算するための条件を満たすと判別されたとき及び満たしていないと判別されたときのいずれも、途中までは共通する態様の演出を出力し、その後、残り遊技回数を加算するための条件を満たすと判別されたときは残り遊技回数を加算する旨の演出を出力し、満たしていないと判別されたときはきは残り遊技回数を加算しない旨の演出を出力するようにする
ことを特徴とするスロットマシン。
【請求項３】
請求項１又は請求項２に記載のスロットマシンにおいて、
前記遊技回数変更演出制御手段は、前記変更条件判別手段により特定遊技の残り遊技回数を加算するための条件を満たすと判別され、特定遊技の残り遊技回数の加算に関する演出を出力する場合において、最初は加算する遊技回数を表示せず、所定遊技回数の経過後に、加算する遊技回数を表示するようにする
ことを特徴とするスロットマシン。
【手続補正２】
【補正対象書類名】明細書
【補正対象項目名】０００７
【補正方法】変更
【補正の内容】
【０００７】
本発明は、以下の解決手段によって、上述の課題を解決する。
請求項１の発明は、所定の条件を満たしたときに、通常遊技時よりメダル獲得枚数期待値の大きい特定遊技を実行する特定遊技実行手段を備え、前記特定遊技実行手段は、特定遊技を開始するときに、特定遊技の遊技回数の初期値を設定する特定遊技回数初期値設定手段と、特定遊技中における遊技の消化に伴って、残り遊技回数を更新する遊技回数更新手段と、特定遊技中に、特定遊技の残り遊技回数を加算するための条件を満たすか否かを判別する変更条件判別手段と、特定遊技の残り遊技回数に加算する遊技回数を抽選する加算遊技回数抽選手段と、前記変更条件判別手段により特定遊技の残り遊技回数を加算するための条件を満たすと判別されたときに、それまでの残り遊技回数に前記加算遊技回数抽選手段で決定した遊技回数を加算して新たな残り遊技回数を算出する遊技回数算出手段と、前記遊技回数算出手段で算出された残り遊技回数を新たな残り遊技回数に設定する特定遊技回数設定変更手段と、前記変更条件判別手段により特定遊技の残り遊技回数を加算するための条件を満たすと判別されたときに、特定遊技の残り遊技回数の加算に関する演出を出力するようにする遊技回数変更演出制御手段とを備え、前記遊技回数変更演出制御手段により出力される演出として、特定遊技の残り遊技回数に加算する遊技回数に対応する演出パターンが設けられており、前記遊技回数変更演出制御手段は、前記変更条件判別手段により特定遊技の残り遊技回数を加算するための条件を満たすと判別されたときは、加算する遊技回数に対応する前記演出パターンを選択し、選択した前記演出パターンによって加算する遊技回数を画像表示するようにし、前記変更条件判別手段により特定遊技の残り遊技回数を加算するための条件を満たしていないと判別されたときであっても、所定の確率で、特定遊技の残り遊技回数の加算に関する演出を出力し、その後、特定遊技の残り遊技回数を加算する演出を行わないようにすることを特徴とする。
【手続補正３】
【補正対象書類名】明細書
【補正対象項目名】０００８
【補正方法】変更
【補正の内容】
【０００８】
請求項１の発明においては、所定の条件を満たしたときは、特定遊技実行手段により、通常遊技時よりメダル獲得枚数期待値が大きい特定遊技が実行される。
【手続補正４】
【補正対象書類名】明細書
【補正対象項目名】０００９
【補正方法】変更
【補正の内容】
【０００９】
この特定遊技が実行されるときには、特定遊技回数初期値設定手段により特定遊技の遊技回数の初期値が設定される。また、特定遊技中には、変更条件判別手段により、特定遊技の残り遊技回数を加算するための条件を満たすか否かが判別される。例えば特定遊技の残り遊技回数を加算するか否かの抽選を毎遊技行い、この抽選に当選したときは、特定遊技の残り遊技回数を加算するための条件を満たすと判別される。
【手続補正５】
【補正対象書類名】明細書
【補正対象項目名】００１０
【補正方法】変更
【補正の内容】
【００１０】
そして、特定遊技の残り遊技回数を加算するための条件を満たすと判別されたときに、遊技回数算出手段により新たな残り遊技回数が算出される。新たな残り遊技回数は、それまでの残り遊技回数に、加算遊技回数抽選手段で決定された遊技回数を加算することによって算出される。新たな残り遊技回数が算出されると、特定遊技回数設定変更手段により、その遊技回数が特定遊技の新たな残り遊技回数に設定される。
【手続補正６】
【補正対象書類名】明細書
【補正対象項目名】００１１
【補正方法】変更
【補正の内容】
【００１１】
したがって、特定遊技中に残り遊技回数が増加する場合がある。よって、特定遊技特有の利益、すなわち特定遊技を継続することによってメダル所有枚数を通常遊技時より減らさない利益、あるいはメダル所有枚数を増加させる利益を継続することができる。
【手続補正７】
【補正対象書類名】明細書
【補正対象項目名】００３５
【補正方法】変更
【補正の内容】
【００３５】
請求項１の発明によれば、特定遊技中に残り遊技回数が増加する場合がある。よって、特定遊技特有の利益、すなわち特定遊技を継続することによってメダル所有枚数を通常遊技時より減らさない利益、あるいはメダル所有枚数を増加させる利益を継続することができる。